(57)【特許請求の範囲】
【請求項１】
傾斜した屋根に栽培容器を略水平にして保持することができる載設架台を設け、屋根に手入れ用の天窓のような開口部を形成し、開口部は小屋裏より開閉自在に構成するとともに開口部より人が乗り出すことができるように構成し、栽培容器を収納して保持する受台を載設架台にスライド自在に設けて開口部に対して受台を遠近方向に移動自在に構成して成ることを特徴とする屋根上菜園。
【請求項２】
受台は枠フレームを備え、栽培容器の下半部を枠フレームに落とし込んで保持して成ることを特徴とする請求項１記載の屋根上菜園。
【発明の詳細な説明】
【０００１】
【発明の属する技術分野】
本発明は、主として、家庭用の屋根上菜園に関し、詳しくは、傾斜した屋根上に花壇等の菜園を構成しながら、手入れを容易におこなえるようにしようとする技術に係るものである。
【０００２】
【従来の技術】
近年は、宅地の高騰もあり、庭の面積を広くすることができないが、ガーデニングブームもあることから、家庭で草花等の手入れや育成をおこないたいという希望がある。一方、ベランダなどでプランターを使って花壇等の菜園を営むこともあるが、日当りがよくなく、スペースが狭く、特に、潅水等が面倒であるものである。他方、屋根面に植物マットを設ける場合もあるが、世話ができなく、潅水等をしなくてもよい芝等の植物に限られるものであった。
【０００３】
したがって、屋根上に花壇等の菜園を造ることができないものとなっていた。
【０００４】
【発明が解決しようとする課題】
本発明はこのような問題に鑑みてなされたものであり、傾斜した屋根上に花壇等の菜園を造りながら、手入れを容易におこなえる屋根上菜園を提供することを課題とするものである。
【０００５】
【課題を解決するための手段】
請求項１においては、傾斜した屋根１に栽培容器２を略水平にして保持することができる載設架台８を設け、屋根１に手入れ用の天窓のような開口部５を形成し、開口部５は小屋裏より開閉自在に構成するとともに開口部５より人が乗り出すことができるように構成し、栽培容器２を収納して保持する受台３を載設架台８にスライド自在に設けて開口部５に対して受台３を遠近方向に移動自在に構成してあることを特徴とするものである。このような構成によれば、屋根上において栽培容器２を載設架台８に略水平に保持して潅水することができ、潅水も含めた草花等の世話をおこなうことができ、日当りのよい屋根上において花壇等の菜園を簡単に造ることができる。
【０００６】
また、請求項１においては、屋根１に手入れ用の天窓のような開口部５を形成し、開口部５を開閉自在に構成してあることを特徴とするものである。このような構成によれば、天窓３２のような開口部５を有効に利用することで、栽培容器２において栽培している草花等の世話をおこなうことができる。
更に、請求項１においては、開口部５は小屋裏より開閉することができるとともに開口部５より人が乗り出すことができるように構成してあることを特徴とするものである。このような構成によれば、天窓３２のような開口部５から身を乗り出すことで、潅水等の世話を、一層、容易におこなえる。
【０００７】
また、請求項１においては、栽培容器２を収納して保持する受台３を載設架台８にスライド自在に構成して開口部５に対して受台３を遠近方向に移動自在にしてあることを特徴とするものである。このような構成によれば、受台３を開口部５に対して遠ざけたり、近づけたりすることができて、屋根上の栽培スペースを広げることができる。
【０００８】
請求項２においては、受台３は枠フレーム３ａを備え、栽培容器２の下半部を枠フレーム３ａに落とし込んで保持していることを特徴とするものである。このような構成によれば、受台３の枠フレーム３ａに栽培容器２の下半部を落とし込んで保持していて受台３を移動させても栽培容器２を落とすようなことがなく、安全である。
【００１０】
【発明の実施の形態】
以下、本発明の実施の形態を説明する。図１（ａ）は概略断面図、同図（ｂ）は全体斜視図である。図２（ａ）は載設架台の取付け構造を示す部分概略断面図、同図（ｂ）は部分平面図、同図（ｃ）は部分拡大断面図である。図３は栽培容器のスライド構造を示し、同図（ａ）はスライド方向とは直交する方向の断面図、同図（ｂ）はスライド方向の正面図である。
【００１１】
家屋の屋根１には勾配（例えば、４〜５／１０程度）を形成してあり、屋根１の上に直角三角形状となってその上面が略水平となる載設架台８を取付けている。載設架台８はスチールやアルミニウム等の金属製であり、屋根１を貫通するボルトにより固定されている。載設架台８の棟側の高さＨは約２００ｍｍ、軒長さ方向の長さＬは約９００ｍｍであるが、このような寸法及び形状は変更することができるものである。
【００１２】
載設架台８の周部上縁には軒長さ方向に長いレール６、６が屋内外方向に対向して上方に突出している。受台３は底部がスノコとなって排水がおこなえるパレット状に形成されていて、例えば、プランターのような栽培容器２の３個を並列に載置して収納することができるようにしている。受台３の前後縁部には凹溝１０、１０が形成され、凹溝１０にローラー１１が軸１２の回りに回転自在に設けられるともに屋内側の縁部に把手１３が取付けられている。
【００１３】
屋根１において、載設架台８の近くには開口部５を形成して天窓３２を開閉自在に設けてある。天窓３２は例えば枢軸１４において開閉自在に構成しているが、スライドによって開閉するようにしてもよい。小屋裏である天井裏には、天井収納用のはしごユニット１５が設置されていて、天井裏に登って天窓３２の開閉を人手にておこなうことができるようにしている。ところで、潅水は家庭において水遣り当番等を決めて開口部５から人手によっておこなうようにしてもよいものであるが、手で水栓を開いておこなっても、又、自動的におこなうようにしてもよい。以下に潅水をおこなう構成の一例を述べる。
【００１４】
図５（ｂ）に示すように、パレット状の受台３には例えば注水ノズル１６を付設してあり、注水ノズル１６とポンプ１７とがフレキシブルホース１８によって接続され、ポンプ１７を例えばタイマー回路によって作動させることで、ポンプ１７に接続されている配管を介して水道水を注水ノズル１６から注水して、プランターのような栽培容器２内の草花等に潅水するようにしている。
【００１５】
このような潅水に当たって、図５（ａ）に示すように、注水ノズル１６と水道管とを直結して注水ノズル１６の近傍に開閉栓Ｖを設けて開閉栓Ｖを必要時に開くことで潅水をおこなえるようにしてもよいものである。
【００１６】
又、図１（ａ）に示すように、棟部に潅水ホース３３を敷設して潅水ホース３３からシャワーのように潅水するようにしてもよいものである。
【００１７】
このように、栽培容器２に向けて潅水する構成を潅水する手段４と総称するが、その構成は変更することができるものである。
【００１８】
このように、本発明においては、傾斜した屋根１には、載設架台８が取付けられ、載設架台８に栽培容器２を略水平にして載置させることができる受台３を設け、受台３に載置した栽培容器２に対して潅水することから、屋根上において栽潅水も含めた草花等の世話をおこなうことができ、日当りのよい屋根上において花壇等の菜園を簡単に造ることができるものである。
【００１９】
この場合、天窓３２を開けることで、栽培容器２において栽培している草花等の世話をおこなうことができるのであり、更に、載設架台８にスライド自在に設けた受台３を開口部５に対して遠近方向にスライド移動させることから、受台３を開口部５に対して遠ざけたり、近づけたりすることができて、屋根上の栽培スペースを広げることができるのである。しかも、受台３は枠フレーム３ａを備え、栽培容器２の下半部を枠フレーム３ａに落とし込んで保持していることから、受台３を移動させても栽培容器２を落とすようなことがなく、安全である。かつ、開口部５は小屋裏より開閉することができるとともに開口部５より人が乗り出すことができることから、潅水等の世話を、一層、容易におこなえるものである。
【００２０】
ところで、載設架台８を屋根１に取付けるのに際して、図２（ｃ）に示すように、野地板１９に補強桟２０を接着剤によって接着してシールを図るとともに仮止めし、補強桟２０、野地板１９、平板瓦２１及び載設架台８をボルト９によって貫通させ、ナット２３を螺合させて載設架台８を取付けるものである。この場合、ボルト９の頭部の周部には断熱ゲル剤２４を塗布し、合成樹脂製の断熱カバー２５にて覆い、木ネジ２６にて固定するものである。ところで、載設架台８には長孔３１が形成されていて、ボルト９を挿通しやすくしている。図中、２２は防水シール材、２７は滑り止めワッシャー、２８は抜止めピンである。尚、パレット状の受台３の３個をまとめて覆う霜除けカバー２９を着脱自在に付設しておくとよい。
【００２１】
【発明の効果】
請求項１においては、傾斜した屋根に栽培容器を略水平にして保持することができる載設架台を設け、屋根に手入れ用の天窓のような開口部を形成し、開口部は小屋裏より開閉自在に構成するとともに開口部より人が乗り出すことができるように構成し、栽培容器を収納して保持する受台を載設架台にスライド自在に設けて開口部に対して受台を遠近方向に移動自在に構成してあるから、屋根上において栽培容器を載設架台に略水平に保持して潅水することができ、潅水も含めた草花等の世話をおこなうことができ、日当りのよい屋根上において花壇等の菜園を簡単に造ることができるという利点がある。
【００２２】
また、請求項１においては、屋根に手入れ用の天窓のような開口部を形成し、開口部を開閉自在に構成してあるから、天窓のような開口部を開けることで、栽培容器において栽培している草花等の世話をおこなうことができるという利点がある。
更に、請求項１においては、開口部は小屋裏より開閉することができるとともに開口部より人が乗り出すことができるように構成してあることを特徴とするものである。このような構成によれば、天窓のような開口部から身を乗り出すことで、潅水等の世話を、一層、容易におこなえるという利点がある。
【００２３】
また、請求項１においては、栽培容器を収納して保持する受台を載設架台にスライド自在に構成して開口部に対して受台を遠近方向に移動自在に構成してあるから、受台を開口部に対して遠ざけたり、近づけたりすることができて、屋根上の栽培スペースを広げることができるという利点がある。
【００２４】
請求項２においては、受台は枠フレームを備え、栽培容器の下半部を枠フレームに落とし込んで保持しているから、受台の枠フレームに栽培容器の下半部を落とし込んで保持していて受台を移動させても栽培容器を落とすようなことがなく、安全であるという利点がある。
【図面の簡単な説明】
【図１】本発明の実施の一形態を示し、（ａ）は概略断面図、（ｂ）は全体斜視図である。
【図２】同上の載設架台の取付け構造を示し、（ａ）は部分概略断面図、（ｂ）は部分平面図、（ｃ）は部分拡大断面図である。
【図３】同上の栽培容器のスライド構造を示し、（ａ）はスライド方向とは直交する方向の断面図、（ｂ）はスライド方向の正面図である。
【図４】（ａ）は同上の天窓のような開口部と栽培容器との関係を示す説明図、（ｂ）は概略正面図、（ｃ）は一部破断した断面図である。
【図５】（ａ）（ｂ）は同上の潅水する手段を示す説明図である。
【符号の説明】
１  屋根
２  栽培容器
３  受台
５  開口部
８  載設架台
【図１】
0003690230.tif 000002
【図２】
0003690230.tif 000003
【図３】
0003690230.tif 000004
【図４】
0003690230.tif 000005
【図５】
0003690230.tif 000006